(57)【特許請求の範囲】
【請求項１】
時計の胴に回転自在に取付けられた回転ベゼルの構造において、内側に鍔部を有する回転ベゼルと、上部の内側にネジ部を有する胴と、外壁にネジ部と上部の外側に突出部とを有するネジリングと、前記胴と前記回転ベゼルとの間に挟持される弾性リングとから構成し、前記ネジリングを前記胴に螺合させ、前記螺合部の上方にて前記ネジリングの突出部を前記回転ベゼルの鍔部に係合させることで前記回転ベゼルを前記胴に回転自在に取付けると共に、前記胴に形成された回転ベゼル回転面と回転ベゼルの下段部とで前記弾性リングを圧縮挟持し、且つ、前記ネジリングには、前記回転ベゼルの鍔部と前記ネジリングの突出部による係合位置を調整するための位置調整部を備え、該位置調整部は前記ネジリングの下部に形成した突起状のストッパー部であり、該ストッパー部の寸法調整により前記胴の回転ベゼル回転面と前記回転ベゼルとの間に配設した前記弾性リングの圧縮量を調節できるようにしたことを特徴とする回転ベゼルの構造。
【請求項２】
時計の胴に回転自在に取付けられた回転ベゼルの構造において、内側に鍔部を有する回転ベゼルと、上部の内側にネジ部を有する胴と、外壁にネジ部と上部の外側に突出部とを有するネジリングと、前記胴と前記回転ベゼルとの間に挟持される弾性リングとから構成し、前記ネジリングを前記胴に螺合させ、前記螺合部の上方にて前記ネジリングの突出部を前記回転ベゼルの鍔部に係合させることで前記回転ベゼルを前記胴に回転自在に取付けると共に、前記胴に形成された回転ベゼル回転面と回転ベゼルの下段部とで前記弾性リングを圧縮挟持し、且つ、前記ネジリングには、前記回転ベゼルの鍔部と前記ネジリングの突出部による係合位置を調整するための位置調整部を備え、該位置調整部は前記ネジリングの軸方向に螺合させたネジにより形成したストッパー部であり、該ストッパー部の寸法調整により前記胴の回転ベゼル回転面と前記回転ベゼルとの間に配設した前記弾性リングの圧縮量を調節できるようにしたことを特徴とする回転ベゼルの構造。
【発明の詳細な説明】
【０００１】
【発明の属する技術分野】
本発明は、ダイバーウオッチのレジスターリングのような携帯時計の回転ベゼルの構造に関する。
【０００２】
【従来の技術】
以下、実開昭５９−７７０８８号公報に開示される従来の回転ベゼルの構造を図面に基づいて説明する。図５は従来の回転ベゼルの構造の一部省略した断面図である。
【０００３】
図５に示すように従来の回転ベゼルの構造を備えた時計１は、時計ケースである胴２を有し、さらに、胴２は、内側の上方に傾斜面を有する喰付部２ａと下方に雌ネジ部２ｂとを一体に形成している。また、胴２は、上部に回転ベゼル３を回動自在に備えている。かかる回転ベゼル３は、内側に鍔部３ａ及び段部３ｂと外側の下方に傾斜面を有する喰付部３ｃとを一体に形成している。また、胴２の内壁と回転ベゼル３の外壁との間に、弾性リング１０を介して喰付部２ａと喰付部３ｃとが係合して胴２に回転ベゼル３が回動自在に取付けられている。また、弾性部材より成る弾性リング１０は、防水性と適度なトルクにより回転ベゼル３の滑らかな回転性を得るための役割とを果たしている。
さらに、時計１は、回転ベゼル３の段部３ｂにリング状の表示部材１１を載置するとともに周縁にパッキン１２を配設した風防４を嵌入固定して構成されている。また、時計１は、回転ベゼル３の鍔部３ａの下方に、上面に文字板６と外周に固定部材１４、１５とを取付けたムーブメント５が配設され、このムーブメント５を収納した胴２の裏面の雌ネジ部２ｂに、パッキン１３を装着した裏蓋７の雄ネジ部７ａを螺合することにより、裏面の防水性が保たれている。
【０００４】
【発明が解決しようとする課題】
しかしながら、上記した従来の回転ベゼルの構造には、下記の問題があった。
（１）胴２と回転ベゼル３の取付け構造が喰付部２ａと喰付部３ｃによる喰付構造のために、胴２と回転ベゼル３との取付け及び取外し作業が大変であった。
（２）回転ベゼル３の取外しの際、取外し工具をイ部に差し込み、こじ開けるため胴２と回転ベゼル３に傷を付けてしまった。
（３）胴２と回転ベゼル３の加工寸法のバラツキにより、弾性リング１０による回転トルクが安定しなかった。その上、防水不良となることもあった。
（４）回転ベゼル３が回転することにより、鍔部３ａの下面が文字板６の表面とすれ、文字板６のロ部に傷を付け塗料等が剥がれ落ち、文字板の錆発生や剥がれた塗料による時計の止まり等があった。
【０００５】
本発明は、かかる従来の回転ベゼルの構造の問題点に着目して成されたもので、その目的とするところは、下記の通りである。
（１）回転ベゼルの取付け及び取外し作業が容易となる回転ベゼルの構造を提供すること。
（２）回転ベゼルの取外しの際、胴と回転ベゼルに傷を付けることのない回転ベゼルの構造を提供すること。
（３）回転ベゼルの回転トルクを自由に調整できると共に、安定した防水性が得られる回転ベゼルの構造を提供すること。
（４）回転ベゼルの回転により文字板の表面を傷めることがない回転ベゼルの構造を提供すること。
（５）回転ベゼルを小型にできると共に、文字板の表示部を広くすることのできる回転ベゼルの構造を提供すること。
【０００６】
【課題を解決するための手段】
上記の目的を達成するために本発明の特徴は、請求項１に記載される通りであり、内側に鍔部を有する回転ベゼルと、上部の内側にネジ部を有する胴と、外壁にネジ部と上部の外側に突出部とを有するネジリングと、前記胴と前記回転ベゼルとの間に挟持される弾性リングとから構成し、前記ネジリングを前記胴に螺合させ、前記螺合部の上方にて前記ネジリングの突出部を前記回転ベゼルの鍔部に係合させることで前記回転ベゼルを前記胴に回転自在に取付けると共に、前記胴に形成された回転ベゼル回転面と回転ベゼルの下段部とで前記弾性リングを圧縮挟持し、且つ、前記ネジリングには、前記回転ベゼルの鍔部と前記ネジリングの突出部による係合位置を調整するための位置調整部を備え、該位置調整部は前記ネジリングの下部に形成した突起状のストッパー部であり、該ストッパー部の寸法調整により前記胴の回転ベゼル回転面と前記回転ベゼルとの間に配設した前記弾性リングの圧縮量を調節できるようにしたことを特徴とする。
【０００７】
かかる構成により、胴と回転ベゼルとの取付け構造は、ネジリングを介して行われる。即ち、胴とネジリングを螺合することにより、ネジリングの突出部が回転ベゼルを押圧しながら固定する。結果、回転ベゼルの取付け及び取外し作業が容易となるばかりか、取外し工具を胴と回転ベゼルの隙間に差し込み、こじ開ける必要がないので胴と回転ベゼルに傷が付かない。また、胴とネジリングの螺合部及び回転ベゼルと胴との喰付部が径方向には重ならず、軸方向に重なるようにしたので径方向への広がりを防止でき、また回転ベゼルを小型に出来且つ表示部を広くすることが出来る。更には、回転トルクを自由に調整できるので安定した回転ベゼル構造を提供できる。
【０００８】
また、本発明の別の特徴は、請求項２に記載される通りであり、内側に鍔部を有する回転ベゼルと、上部の内側にネジ部を有する胴と、外壁にネジ部と上部の外側に突出部とを有するネジリングと、前記胴と前記回転ベゼルとの間に挟持される弾性リングとから構成し、前記ネジリングを前記胴に螺合させ、前記螺合部の上方にて前記ネジリングの突出部を前記回転ベゼルの鍔部に係合させることで前記回転ベゼルを前記胴に回転自在に取付けると共に、前記胴に形成された回転ベゼル回転面と回転ベゼルの下段部とで前記弾性リングを圧縮挟持し、且つ、前記ネジリングには、前記回転ベゼルの鍔部と前記ネジリングの突出部による係合位置を調整するための位置調整部を備え、該位置調整部は前記ネジリングの軸方向に螺合させたネジにより形成したストッパー部であり、該ストッパー部の寸法調整により前記胴の回転ベゼル回転面と前記回転ベゼルとの間に配設した前記弾性リングの圧縮量を調節できるようにしたことを特徴とする。
【０００９】
かかる構成により、弾性リングの圧縮量をドライバー等で簡単に変化させることができ、回転ベゼルを安定したトルク力で回動させることができると共に、安定した防水性を得ることができる。
【００１３】
【発明の実施の形態】
以下、本発明にかかわる回転ベゼルの構造の一実施例を時計１を例に図１乃至図２に基づいて説明する。また、従来例と同様の構成については、同一の符号を付して説明を省略する。
【００１４】
図１に示すように本発明の回転ベゼルの構造である時計１は、時計ケースである胴２を備える。胴２は、上部の内側に雌ネジ部２ｃと段部２０と外側に回転ベゼル回転面２１とを有すると共に、下部の内側に雌ネジ部２ｂを一体に有する。また、回転ベゼル３は、内側に鍔部３１と上段部３２と、下面に下段部３３とを一体に有する。
【００１５】
ネジリング８は、図２に示すようにリング形状を成し、上部の外側に押圧部である突出部８１と、内側に螺合用の工具（図示せず）の突起と係止する複数の凹部８２を等角に凹設し、下部の外壁に雄ネジ部８３と下面に文字板６の外縁が当接する当接凹部８４が一体に形成されている。また、ネジリング８は、下部にストッパー部８ａを有する。
【００１６】
次に、胴２に回転ベゼル３を回転自在に取付ける方法について説明する。
胴２の雌ネジ部２ｃにネジリング８の雄ネジ部８３を螺合させ、上記した鍔部３１と突出部８１とが係合し、胴２に回転ベゼル３がネジリング８を介して回転自在に押圧固定される。また、胴２の段部２０にストッパー部８ａが当接し、回転ベゼル３が予め設定された回転トルクをネジリング８の寸法Ｈにより保持する。従って、ストッパー部８ａを削る等により寸法Ｈの寸法調整をすることで、回転ベゼル３は、任意の回転トルクを得られる。この時、弾性リング１０は、胴２の回転ベゼル回転面２１と回転ベゼル３の下段部３３とで挟持され、防水性も確保される。
【００１７】
さらに胴２の内部には、上面に断面略三角形の文字板リング１６を有する文字板６が取付けられたムーブメント５が配設固定されている。この固定は、胴２の裏面より挿入したムーブメント５の下面のネジ部を回転させることにより偏心カム５０を胴２の内壁に形成した溝に係合させることでなされる。その後、裏蓋７にパッキン１３を装着し、雄ネジ部７ａと胴２の雌ネジ部２ｂとを螺合することにより胴２の裏面側の防水が確保される。
そして、任意の回転トルクに調整された回転ベゼル３には、上段部３２に見返しリング９と、その上に配設したパッキン１２を介して風防４が嵌入固定（パッキン１２を径方向に圧縮）され、これにより見返しリング９も固定され、時計１が完成する。尚、ネジリング８は、見返しリング９と文字板リング１６に覆われるため外側からは見えず見栄えがよくなる。
【００１８】
次に、本発明にかかわる回転ベゼルの構造の他の実施例を図３乃至図４に基づいて説明する。また、本実施例は、上記した一実施例のネジリング８の軸方向に調整機構を設けたこと以外、同様の構成であるため同一の符号を付して説明を省略する。
【００１９】
図３に示すように本発明の時計１は、上記した一実施例と同様に構成された胴２と回転ベゼル３の上部の内側より、ネジリング８−１を螺合する。
かかるネジリング８−１は、図４に示すようにリング形状を成し、上部の外側に押圧部である突出部８１と、内側の上面に工具を係止する複数の凹部８２を等角に凹設し、さらに、軸方向に調整用ネジ１８と軸方向に螺合するネジ孔１９をザグリ孔１９ａとともに一箇所以上、等角に穿孔してある。また、下部の外壁に雄ネジ部８３を有し、下面８４Ａに文字板６の外縁が当接する。さらに、調整用ネジ１８の下面はストッパー部１８ａを形成する。
【００２０】
そして、時計１は、胴２の雌ネジ部２ｃにネジリング８−１の雄ネジ部８３を螺合することにより、上記した回転ベゼル３の鍔部３１とネジリング８−１の突出部８１とが係合し、胴２に回転ベゼル３がネジリング８−１を介して回転自在に押圧固定される。また、胴２の段部２０にストッパー部１８ａが当接し、調整用ネジ１８を工具により、螺回させることにより軸方向に可動し、弾性リング１０の圧縮量を変化させ、回転ベゼル３の回転トルクを調節できるようになっている。そして、他の構成については、前述した一実施例と同様に構成される。
【００２１】
【発明の効果】
上記した本発明の回転ベゼルの構造によれば、回転ベゼルの取付け及び取外し作業が容易となり、また、回転ベゼルの取外しの際、胴と回転ベゼルに傷を付けることなく、回転ベゼルの回転トルクを自由に調整できると共に、安定した防水性も得られる。また、回転ベゼルの回転により文字板の表面を傷めることがなくなり、外観品質が向上すると共に、時計の止まりも起こらない。
【００２２】
更に、回転ベゼルの喰付部と胴の喰付部とが径方向で重ならないので、回転ベゼルを小型にできると共に、表示部も広くすることができる。
【図面の簡単な説明】
【図１】本発明に係る回転ベゼルの構造の一部省略した断面図である。
【図２】同回転ベゼルの構造のネジリングの一部断面図した斜視図である。
【図３】同回転ベゼルの構造の軸方向に調整機構を設けた実施例を示す一部省略した断面図である。
【図４】同回転ベゼルの構造の他の実施例を示すネジリングの一部断面図した斜視図である。
【図５】従来の回転ベゼルの構造の一部省略した断面図である。
【符号の説明】
１  時計
２  胴
２ｂ、２ｃ  雌ネジ部
３  回転ベゼル
４  風防
５  ムーブメント
６  文字板
７  裏蓋
７ａ  雄ネジ部
８、８−１  ネジリング
８ａ、１８ａ  ストッパー部
９  見返しリング
１０  弾性リング
１１  表示部材
１２、１３  パッキン
１４  固定部材
１６  文字板リング
１８  調整用ネジ
１９  ネジ孔
１９ａ  ザグリ孔
２０  段部
２１  回転ベゼル回転面
３１  鍔部
３２  上段部
３３  下段部
５０  偏心カム
８１  突出部
８２  凹部
８３  雄ネジ部
８４  押圧凹部
【図１】
0003895867.tif 000002
【図２】
0003895867.tif 000003
【図３】
0003895867.tif 000004
【図４】
0003895867.tif 000005
【図５】
0003895867.tif 000006